(57)【要約】【課題】光源ランプ等の熱源の排熱の排気口からの熱気が周辺機器、操作者、視聴者に直接達しないようにさせつつ設置自由度が高く、かつ、排熱効率を下げることなく装置外部へ放射される騒音を増大させない投射型表示装置を提供することを目的とする。【解決手段】吸気用ファン７により吸入された外気は、投射レンズ２、光学ブロック部３、電源部４、電気回路部５などを冷却した後、光源ランプ６も冷却し、その際に加熱された空気は、熱源がセットの内部に広がらないように、排気用ファン８により、光源ランプ６近傍の空気吸入口８ａから吸入され、空気排出口８ｂから強制的に排出される。その際、外装筐体１の底面に設けられた排気用ファン８を保持する回転板９を自在に任意の方向、つまり設置面に対して３６０°水平方向に回転させ、排気用ファン８の向きを変えることにより、排気方向を任意に変えることができる。【選択図】図１
2010117464.tif 000002
【特許請求の範囲】
【請求項１】
外装筐体と、前記外装筐体内に収容される、画面に拡大投射する投射レンズと、光学ブロック部と、電源部と、電気回路部と、光源ランプとを備えた投射型表示装置において、
前記外装筐体内の空気を外部に排出する排気用ファンと、前記排気用ファンを保持し、自在に任意の方向に回転させる回転部とを備えたことを特徴とする投射型表示装置。
【請求項２】
前記回転部は前記外装筐体の一部を形成する回転板であることを特徴とする請求項１に記載の投射型表示装置。
【請求項３】
前記排気用ファンの排気口に、排気方向と同一方向に所定の長さを有するリブを備えたことを特徴とする請求項１に記載の投射型表示装置。
【請求項４】
前記排気用ファンにブロアファンを用いたことを特徴とする請求項１に記載の投射型表示装置。
【請求項５】
前記排気用ファンは、空気吸入口を筐体側に、空気排出口を回転方向に有していることを特徴とする請求項１に記載の投射型表示装置。
【請求項６】
前記排気用ファンの空気吸入口は、前記光源ランプ近傍に設けられていることを特徴とする請求項５に記載の投射型表示装置。
【請求項７】
前記回転板は、前記外装筐体の底面に取り付けられていることを特徴とする請求項１に記載の投射型表示装置。
【請求項８】
前記回転板は、水平方向に３６０度回転可能であることを特徴とする請求項２に記載の投射型表示装置。
【請求項９】
前記外装筐体に複数の脚を設けるとともに、前記脚の高さを、前記回転板と前記排気用ファンが前記外装筐体から突出した高さよりも高くすることを特徴とする請求項７に記載の投射型表示装置。
【請求項１０】
さらに、外装筐体内に外気を吸入する吸気用ファンを備えた請求項１に記載の投射型表示装置。
【発明の詳細な説明】
【技術分野】
【０００１】
本発明は投射型表示装置に関し、特に光源に使用するランプ等の熱源の排熱構造を備えたプロジェクター等の投射型表示装置に関するものである。
【背景技術】
【０００２】
従来、スクリーンに画像を投影するプロジェクター等の投射型表示装置においては、その筐体内部にある光源ランプや光学デバイスを吸入した外気によって冷却するための冷却ファンや、筐体内にこもった熱を外部に排出するための排気用の冷却ファンが設けられている。
【０００３】
近年、プロジェクター等の投射型表示装置は、スクリーンへの投影画面を明るくするための高輝度化が促進されている。そのため、高輝度化にともなって、内蔵する光源ランプの発光量、光源ランプの定格入力電力が大きくなり、光源ランプの発熱量は大きくなっており、この熱による各構成部品への影響を防ぐため、光源ランプや光学デバイスの冷却性能や、筐体内に発生した熱の排気性能が重要課題となっている。
【０００４】
このような光源ランプ等の発熱に対し、筐体外部へ熱を移動する手段として、筐体の光源ランプ近傍に、排気用のファンと排気口を設け、筐体内部の熱により温められた空気を排出することによる冷却を行っている（例えば特許文献１参照）。
【０００５】
図４は、従来の投射型表示装置における構成を示す平面図である。投射型表示装置は、直方体状の形状を有する外装筐体４１と、外装筐体４１に収容される、スクリーンに拡大投射する投射レンズ４２と、光学ブロック部４３と、電源部４４と、電気回路部４５と、光源ランプ４６を有している。
【０００６】
そして、これらの部位を冷却するため、外装筐体４１内に外気を吸入する吸気用ファン４７と、外装筐体４１内にこもった熱を外部に排出する排気用ファン４８が設けられている。
【０００７】
また、排気用ファン４８の近傍には、排気口ルーバー４９と、光源ランプ４６からの不要光が外装筐体４１の外部へ洩れるのを軽減する遮蔽物５０が設けられている。
【０００８】
排気口ルーバー４９は、指などが入らない程度に間隔を設けて取り付けられた複数の羽根４９ａにより構成されており、矢印Ａ方向に傾きを変えられるようになっている。
【０００９】
以上のように構成された従来の投射型表示装置において、吸気用ファン４７により、外装筐体４１の各所にある小さな開口部（図示せず）を介して吸入された外気は、投射レンズ４２、光学ブロック部４３、電源部４４、電気回路部４５などを冷却した後、光源ランプ４６も冷却し、その際に加熱された空気は、排気用ファン４８により、矢印のごとく遮蔽物５０の空間を経て、排気用ファン４８を通り、排気口ルーバー４９から外装筐体４１の外部に排出される。排気される空気は、排気口ルーバー４９の羽根４９ａの傾きを変えることにより、排出方向を変えることができる。
【特許文献１】特開２００６−１１３２３７号公報
【発明の開示】
【発明が解決しようとする課題】
【００１０】
しかしながら、上記従来の構成の投射型表示装置では、使用環境温度や高輝度化に伴う光源ランプの定格入力電力増大に応じて、冷却効率や排熱効率を上げるため、排気用ファンの回転速度を高めることにより空気の移動量を多くすることがあるが、排気口ルーバーから発生する風切音も大きくなり、騒音が増大するため、単純に排気用ファンの回転数をむやみに上げることはできない。
【００１１】
例えば、上記特許文献１に記載されている投射型表示装置では、光源ランプ４６からの不要光が外装筐体４１の外部へ洩れるのを軽減する遮蔽物５０があったり、排気口ルーバー４９の羽根４９ａにより排気方向を変えるために通風抵抗が悪くなり、空気の移動量が少なくなるので、空気の移動量を多くするためにファン回転数を上げると騒音が増大し、装置使用者に不快感を与えたり、遮蔽物や排気口ルーバーにより乱流が発生し、風切り音により騒音を増大し、装置使用者に不快感を与えたりするという課題を有していた。
【００１２】
また、排気口側に位置する操作者、視聴者、周辺機器等に排気される空気の熱気が達し、操作者、視聴者に不快感を与えたり、周辺装置の温度上昇を招くことがある。
【００１３】
あるいは、投射型表示装置の排気口近傍に壁等の障害物がある場合には、投射型表示装置筐体内の排熱不足による投射型表示装置自身の温度上昇が生じてしまう。
【００１４】
このような問題があり、投射型表示装置の設置位置や方向が制約されていた。
【００１５】
本発明は上記課題を解決するために、排気口からの熱気が操作者、視聴者、周辺機器に直接達しないようにさせつつ設置自由度が高く、かつ、排熱効率を下げることなく装置外部へ放射される騒音を増大させることのない投射型表示装置を提供することを目的とする。
【課題を解決するための手段】
【００１６】
上記従来の課題を解決するために、本発明の投射型表示装置は、外装筐体と、前記外装筐体内に収容される、画面に拡大投射する投射レンズと、光学ブロック部と、電源部と、電気回路部と、光源ランプとを備えた投射型表示装置において、前記外装筐体内の空気を外部に排出する排気用ファンと、前記排気用ファンを保持し、自在に任意の方向に回転させる回転部とを備えたものであり、排気用ファンを保持する回転部を自在に任意の方向に回転させ、排気用ファンの向きを変えることにより排気方向を任意に変えることができる。
【００１７】
また、前記排気用ファンの排気口に、排気方向と同一方向に所定の長さを有するリブを備えたものである。
【００１８】
また、前記排気用ファンにブロアファンを用い、空気吸入口を筐体側に、空気排出口を回転方向に有している。
【００１９】
また、前記回転部は、筐体の一部を形成する回転板である。
【００２０】
また、前記回転板は、前記外装筐体の底面に取り付けられ、水平方向に３６０度回転可能としたものである。
【００２１】
これにより、特許文献１のような、不要光が外装筐体の外部へ洩れるのを軽減する遮蔽物があったり、排気口ルーバーの羽根により排気方向を変える場合と比較して、通風抵抗を低減するという作用を有し、排気用ファンや、排気口や、遮蔽物等から発生する乱流を抑えることにより、風切音を低減することができる。
【００２２】
また、通風抵抗を低減することにより、通風する空気の移動量を多くすることができ、冷却効率や排熱効率が上がり、排気用ファン等の回転数を下げることも可能となる。
【発明の効果】
【００２３】
以上のように本発明の投射型表示装置によれば、通風抵抗を増大させることなく、排気口からの熱気が操作者、視聴者、周辺機器に直接達しないように排気方向の自由度を高くでき、従って、設置性が良く、かつ、風切音を低減でき、排気用ファン等の回転数を上げてもファン騒音が増大することがないため、装置外部へ放射される騒音を増大させないことができる。
【発明を実施するための最良の形態】
【００２４】
以下、本発明を実施するための最良の形態について図面を参照しながら説明する。
【００２５】
（実施の形態１）
図１は本発明の一実施の形態における投射型表示装置の構成図で、図１（ａ）は平面図、図１（ｂ）は断面図である。本実施の形態の投射型表示装置における排熱構造以外の構成は、従来例の図４と同様である。
【００２６】
図において、投射型表示装置は、直方体状の形状を有する外装筐体１と、外装筐体１に収容される、画面に拡大投射する投射レンズ２と、光学ブロック部３と、電源部４と、電気回路部５と、光源ランプ６を有している。
【００２７】
また、これらの部位を冷却するため、外装筐体１内に外気を吸入する吸気用ファン７と、外装筐体１内にこもった熱を外部に排出する排気用ファン８が設けられている。
【００２８】
また、排気用ファン８は外装筐体１の一部を形成する回転板９に保持されており、回転板９は、外装筐体１の底面に水平方向に３６０°回転可能に取り付けられ、任意の方向に自在に回転可能である。
【００２９】
排気用ファン８は静圧の高いブロアファンであり、空気吸入口８ａを筐体側に、空気排出口８ｂを回転方向に有し、実装密度の高い投射型表示装置の筐体内でも高い排気能力を得ることができる。
【００３０】
また、空気排出口８ｂには、指などが誤って挿入されないように、所定の厚さと間隔で複数のリブ８ｃが設けられている。リブ８ｃは、排気方向と同一方向に所定の長さを有している。
【００３１】
１０は外装筐体１を支持する脚であり、これにより、外装筐体１と設置面との間に排気用ファン８が自由に回転できるだけの空間が確保される。
【００３２】
図２は本発明の投射型表示装置の外観図で、回転板９が図１の位置にある状態を示している。また、図３は回転板９が図１の位置から時計回りに４５°回転した状態を示す外観図である。
【００３３】
以上のように構成された本実施の形態の投射型表示装置において、外装筐体１内の光源ランプ６により放出された光は光学ブロック部３を通過し、投射レンズ２により画像を拡大投影する。
【００３４】
一方、吸気用ファン７により、外装筐体１の各所にある小さな開口部（図示せず）を介して吸入された外気は、投射レンズ２、光学ブロック部３、電源部４、電気回路部５などを冷却した後、光源ランプ６も冷却し、その際に加熱された空気は、熱源がセットの内部に広がらないように、排気用ファン８により、光源ランプ６近傍の空気吸入口８ａから吸入され、空気排出口８ｂから強制的に排出される。
【００３５】
本実施の形態の投射型表示装置においては、外装筐体１の底面に設けられた回転板９を自在に任意の方向、つまり設置面に対して３６０°水平方向に回転させ、排気用ファン８の向きを変えることにより、排気方向を任意に変えることができ、排気口からの熱気が操作者、視聴者、周辺機器等に直接達しないようにさせることができる。
【００３６】
これにより、排気方向の自由度が高く設置性の良い、投射型表示装置を得ることができる。
【００３７】
また、排気用ファン８の排気方向と、空気排出口８ｂに設けたリブ８ｃの長手方向が常に排気方向と同一方向のために、排気口ルーバーの羽根による排気方向を変える場合と比較して、通風抵抗を低減できる。
【００３８】
また、空気排出口８ｂが外装筐体１の底面に設けられているため、光源ランプ６からの不要光が外装筐体１の外部へ洩れることがなく、従来のような不要光の漏れを軽減する遮蔽物を設ける必要がないため、さらに通風抵抗を低減することができる。
【００３９】
このように従来の投射型表示装置と比べ、通風する空気の移動量を多くすることができ、冷却効率や排熱効率が上がり、従って、排気用ファン等の回転数を下げ、騒音を低減することができる。
【００４０】
また、従来のような遮蔽物や排気口ルーバーから発生する乱流も抑えられ、風切音も低減することができる。
【００４１】
なお、本実施の形態では、回転板９により排気用ファン８を回転させたが、排気用ファン８自身に回転部を設けてもよい。
【００４２】
また、本実施の形態では、回転板９、排気用ファン８を外装筐体１の底面に設けたが、これを、外装筐体１の上面、あるいは側面に設けるようにしてもよい。
【産業上の利用可能性】
【００４３】
本発明にかかる投射型表示装置は、排気口からの熱気が、操作者、視聴者、周辺機器に直接達しないようにさせることができ、排気方向の自由度が高く設置性が良くなるとともに、装置外部へ放射される騒音も低減することができ、かつ高効率な冷却をすることができるため、プロジェクター等の投射型表示装置として有用である。
【図面の簡単な説明】
【００４４】
【図１】本発明の一実施の形態における投射型表示装置の構成図
【図２】同実施の形態における投射型表示装置の外観図
【図３】同実施の形態における投射型表示装置の回転板が回転した状態を示す外観図
【図４】従来の投射型表示装置の構成を示す平面図
【符号の説明】
【００４５】
１  外装筐体
２  投射レンズ
３  光学ブロック部
４  電源部
５  電気回路部
６  光源ランプ
７  吸気用ファン
８  排気用ファン
８ａ  空気吸入口
８ｂ  空気排出口
８ｃ  リブ
９  回転板
１０  脚
【図１】
2010117464.tif 000003
【図２】
2010117464.tif 000004
【図３】
2010117464.tif 000005
【図４】
2010117464.tif 000006